(57)【要約】本発明は、二つの構成要素（Ａ，Ｂ）を備える固定及び／又は組立具に関し、この二つの構成要素は、それぞれ歯部（２）及び二つの構成要素を組立てた時に歯部を挿入するための穴（５）を備える。歯部（２）は、弾性的に可撓性の材料で作成されており、二つの構成要素（Ａ，Ｂ）を組立てた時に確実に留めるように穴内で変形し、二つの構成要素を分離すると、元の形状に戻る。
2004512475.tif 000002
【特許請求の範囲】
【請求項１】
二つの構成要素（Ａ，Ｂ）からなる固定及び／又は組立具であって、該二つの構成要素（Ａ，Ｂ）は、歯部（２、２’、２”、５２、６２）及び該二つの構成要素を組立てる時に該歯部を挿入するための穴（５、５’、５”、５６、６６）をそれぞれ備え、
該歯部（２、２’、２”、５２、６２）は弾性的に可撓性のある材料で作成されており、二つの構成要素を組立てた時に、前記穴内で変形して二つの構成要素（Ａ，Ｂ）を確実に留めることを特徴とする、固定及び／又は組立具。
【請求項２】
前記二つの構成要素が、組立てた後に分離可能であることを特徴とする、請求項１に記載の固定及び／又は組立具。
【請求項３】
前記歯部が細長い形状であり、断面が円形であることを特徴とする、請求項１又は２に記載の固定及び／又は組立具。
【請求項４】
前記歯部が細長い形状であり、断面が多角形であることを特徴とする、請求項１又は２に記載の固定及び／又は組立具。
【請求項５】
第一構成要素が、細長いプレート又は帯板に設けた数列の歯部を備え、第二構成要素が、プレートに設けた数列の穴を備えることを特徴とする、請求項１から４のいずれか１項に記載の固定及び／又は組立具。
【請求項６】
前記歯部（２）が長手方向にまっすぐであり、前記穴（５）が該歯部の断面形状と同じ断面形状を有し、且つ長手方向に湾曲していることを特徴とする、請求項１から５のいずれか１項に記載の固定及び／又は組立具。
【請求項７】
前記歯部（２”）が長手方向に湾曲しており、前記穴（５”）該歯部の断面形状と同じ断面形状を有し、且つ長手方向にまっすぐであることを特徴とする、請求項１から５のいずれか１項に記載の固定及び／又は組立具。
【請求項８】
前記歯部が長手方向スリット（７）を備え、前記穴が該スリットによって分割された二つの部分を押圧して一緒にした時の該歯部の断面形状と同じ断面形状を有し、該穴が長手方向にまっすぐであることを特徴とする、請求項１から５のいずれか１項に記載の固定及び／又は組立具。
【請求項９】
前記歯部が前記穴の深さよりも長いことを特徴とする、先行する請求項のいずれか１項に記載の固定及び／又は組立具。
【請求項１０】
前記歯部が前記穴の深さよりも短いことを特徴とする、請求項１から９のいずれか１項に記載の固定及び／又は組立具。
【請求項１１】
前記歯部が長手方向にスリットを備え、前記穴が該歯部の断面形状と同じ断面形状を有し、且つ長手方向にまっすぐであり、さらに該歯部の先端がフック（１０）状の拡大部を有し、二つの構成要素を組立てると分離できないようになっていることを特徴とする、請求項３、４、又は５のいずれか１項に記載の固定及び／又は組立具。
【請求項１２】
前記歯部を備える構成要素が、歯部を設けた少なくとも二つの面を有し、穴を有する少なくとも二つの構成要素と組合せることができることを特徴とする、先行する請求項のいずれか１項に記載の固定及び／又は組立具。
【請求項１３】
先行する請求項のいずれか１項に記載の組立具を備えるブレスレットであって、該ブレスレットはオープンであり、一端に歯部を有する構成要素を備え、他端に穴を有する構成要素を備えることを特徴とする、ブレスレット。
【請求項１４】
請求項１から１０のいずれか１項に記載の組立具を備える靴であって、該靴は頂部上方に開口を有し、該開口の縁部の一方に歯部を有する小型舌部状の構成要素を備え、該開口の他端に該歯部を挿入するための穴を備えるプレート状の構成要素を備えることを特徴とする靴。
【発明の詳細な説明】
本発明の対象は、表面に歯部を有する要素と、組立時にこの歯部を挿入するための穴を有する要素との二つの構成要素からなる固定及び／又は組立具である。
【０００１】
組立を目的とした二つの構成要素からなる固定具は、フランス特許第２０９０７８６号及び国際特許出願公開第ＷＯ９６／４１５５１号等によって、従来から知られている。フランス特許第２０９０７８６号には、二つの板状の構成要素からなり、その一方の表面にはフック付き繊維が設けられており、他方にはこのフックに引っ掛けるためのループ状の繊維が設けられている器具が記載されている。この器具は「ＶＥＬＣＲＯ（ベルクロ）」という名称で良く知られている。このフランス特許公報では、スイスにおける優先権基礎出願の出願日である１９７０年４月２９日以前におけるこの器具の評価が記載されている。
【０００２】
国際特許出願公開第ＷＯ９６／４１５５１号には、靴紐の代わりとして使用するための靴用取付具が記載されている。この器具は、表面に穿孔された小さな舌状の第一部分と、フック状のうねを有する板状の第二部分とを備える。この舌部は、フックに近付いて付着するようになっている。この器具は米国特許第４７２７６５９号に記載のものと非常に良く似ている。実際この米国特許公報には、二つの構成要素からなる取付具が記載されており、その一方はマッシュルーム状の突起を有しており、この突起は他方に設けた円形孔に嵌るようになっている。
【０００３】
上記に引用した文献に記載されている器具は比較的満足のいくものではあるものの、欠点がある。特に、最初のフランス特許第２０９０７８６号に記載されている器具には、正確な位置決めができないという欠点がある。また次の国際特許出願公開第ＷＯ９６／４１５５１号に記載されている器具では、正確な位置決めができるものの、比較的簡単に摩耗してしまい、良好なホールド性を保つことができないという欠点がある。
【０００４】
本発明の課題は、既知の器具のような欠点がない器具、つまり正確な位置決めができ、且つ容易に摩耗することなく、長期に渡って使用しても良好なホールド性を保つことができる器具を提供することにある。
【０００５】
これらの課題は、請求項１に記載の本発明による器具によって解決することができる。本発明による器具の一実施態様では、壊れることなく何度でも使用することができる弾性歯部が設けられている。二つの構成要素を組立てるにはある程度の力をかける必要があるので、良好なホールド性を保つことができる。これはこの二つの要素を離すのにも略同じだけの力が必要となるためである。
【０００６】
本発明並びにその特徴及び利点は、以下に単に例示の目的で示す実施態様の説明を読むことにより、より明らかとなるであろう。
【０００７】
図１は、本発明の固定及び／又は組立具の第一実施態様を非常に概略的に示している。図１ａは、部分１を備える第一要素Ａを示している。この第一要素Ａは、プレート、帯板、若しくは多面体とすることができるが、この図面では、プレート状のものを断面又は外形で示している。部分１には数本の歯部２が取付けてある。この歯部２は図示した形状の型を使って作成する。これらの歯部２は先端３を有しており、その断面形状は円形でも多角形でもよい。この実施態様では、歯部はまっすぐである。
【０００８】
図１ｂは、図１ａに示す第一要素Ａと組合わせるようになっている第二要素Ｂを示している。この要素Ｂは外から見た状態で示されている。要素Ｂは、細長い平行六面体４であり、点線で示した少なくとも一列の穴５を備えている。この穴の断面形状（図示せず）は、図１ａに示す要素Ａの歯部２の断面形状と同じである。但し穴５は長手方向に湾曲している。従って、要素Ａを要素Ｂにセットして押し付けると、図１ｃに示すように、要素Ａの歯部は要素Ｂの穴に貫入する。この操作には歯部２が湾曲するようにある程度の力が必要であり、二つの要素Ａ及びＢを分解つまり分離するにも略同等の力が必要となる。従って精密で比較的頑丈な組立体が得られる。
【０００９】
図１ｃに示すように、二つの要素ＡとＢとを組立てると、要素Ａのプレート１と要素Ｂの本体４との間に空隙ｈができる。この空隙は、例えば図３に示すように、物や髪の毛を挟み込むのに利用することができる。
【００１０】
歯部２の長さは、図示した実施態様では要素Ｂの穴５の深さよりも長いが、深さ５と全く同一でも、これより短くても良い。この違いは、例えば本発明の器具をベルトを締めたり靴を留めたりするための装置として使用する場合等、特定の用途における美観を生じることがある。
【００１１】
図２は、本発明の器具の第二実施態様を概略的に示している。理解し易いように、図１と同じ符号にダッシュ（’）を付けて用いた。
【００１２】
図２ａは、部分１’を有する第一要素Ａ’を示している。この部分１’はプレートでも帯板でも良いが、この図では断面又は外形として示されている。部分１’には図示した態様の型を使って成形した歯部２’が取付けられている。この歯部２’は先端３’を有しており、その断面形状は円形でも多角形でもよい。この実施態様では、歯部は湾曲している。
【００１３】
図２ｂは、図２ａに示す第一要素Ａ’と組合せるようになっている第二要素Ｂ’を示している。この要素Ｂ’は、図１の実施態様と同様に、外から見た状態で示されている。要素Ｂ’は、細長い平行六面体４’であり、点線で示した少なくとも一列の穴５’を備えている。この穴の断面形状（図示せず）は、図２ａの要素Ａ’の歯部２’の断面形状と同じである。但し穴５’は長手方向つまり深さ方向にまっすぐである。従って、要素Ａ’を要素Ｂ’にセットして押し付けると、図２ｃに示すように、要素Ａ’の歯部は要素Ｂ’の穴に貫入する。この操作には歯部２’がまっすぐになるようにある程度の力が必要であり、二つの要素Ａ’及びＢ’を分解つまり分離するにも略同等の力が必要となる。従って精密で比較的頑丈な組立体が得られる。
【００１４】
図４は第三実施態様を示す。この実施態様は、先に述べた二つの実施態様とは明らかに異なるが、請求項１に規定した原理と同じ原理に基づいている。理解し易いように、図１と同じ特徴には同じ符号を用い、ダブルダッシュ（”）を付した。要素Ｂ”は図２の実施態様におけるＢ’と同一、つまり穴が深さ方向にまっすぐなので、図には要素Ａのみを示している。
【００１５】
図４より、要素Ａ”が第一の部分１”を有していることがわかる。この部分１”は、先の実施態様と同様に、帯板でもプレートでも良い。部分１”にも、例えば図示した態様の型を使って成形した歯部２”が取付けられている。この歯部２”の断面形状は円形でも多角形でもよい。この実施態様では歯部２”に、これを二つの部分８と９とに分ける長手方向スリット７が設けられている。この二つの部分は、歯部２”を部分Ｂ”の穴に押し込む際に一緒に動くだけの充分な可撓性を有している。この操作には歯部２”の二つの部分が一緒に動くようにある程度の力が必要であり、二つの要素Ａ”及びＢ”を分解つまり分離するにも略同等の力が必要となる。従ってこの場合も精密で比較的頑丈な組立体が得られる。
【００１６】
さらにこの実施態様では、歯部２”の先端１０は、僅かに重なり合ってフックを形成する部分を備えている。このフックにより、外すことができない組立体を形成することができる。この組立体は、例えば機械の構成部品を組立てるのに使用することができる。
【００１７】
図５は、本発明による器具の一使用形態、特に髪用のバレッタとしての使用形態を示す。図５ａ及び図５ｂに示すように、バレッタは二つの部品Ａ及びＢからなっている。部品Ａ（図５ａ）は、一端に先端５３を有するまっすぐな歯部５２を備える細長い平行六面体５１の形状の一つの部品からなる。さらに、部品Ａの一端には、マッシュルーム状の軸部５４がある。部品Ｂ（図５ｂ）は、部品Ａの歯部５２を挿入するように長手方向に湾曲した穴５６を有する本体５５からなる。部品Ｂの一端には、部品Ａのマッシュルーム状軸部５４を受け入れて保持するための機構５７がある。図５ｃではこの二つの部品Ａ及びＢを組立てた状態で示す。
【００１８】
図６は、本発明による器具の別の使用形態、特に衣服用のクリップや締金としての使用形態を示す。図６からわかるように、このクリップは、糸又は紐６８で連結した二つの部品Ａ及びＢからなる。部品Ａ（図６）は、一端に先端６３を有するまっすぐな歯部６２を備える細長い平行六面体６１の形状の一つの部品からなる。部品Ｂ（図６）は、部品Ａの歯部６２を挿入するように長手方向に湾曲した穴６６を有する本体６５からなる。このクリップは次のように使用する。まず留めようとしている素材の一側面上に部品Ｂを置き、部品Ａを部品Ｂに押し付けて歯部６２が確実に素材を貫通するようにし、次いで部品ＡとＢとを押し合わせて素材を所定位置に留める。
【００１９】
例示として上述した二つの使用形態において、歯部５２及び６２を湾曲させて、穴５６及び６６を深さ方向にまっすぐとしても良いことは明らかである。また歯部５２及び６２は、図４に示すように形成してもよい。
【００２０】
ここには示さないが、第三の使用形態として、構成要素Ａの少なくとも二つの対向面上に歯部を設けて、二つの構成要素Ｂを同時に取り付けることもできる。構成要素Ａはまた、歯部を設けた面を含む数面を有する多面体形状に形成してもよい。この組立体は、構成要素Ａ又はＢの一方を組立てない部分とする、つまり他方の要素を受け入れるための部分として構成することもできる。このようにして構造体を為すことができる、つまり本発明による器具をゲームとして使用することもできる。
【００２１】
最後に、本発明による器具の二つの構成要素Ａ及びＢは、適切な弾性的可撓性のあるいかなる材料、つまり変形（折り曲げ）可能であり、かけていた圧力を取り除くと元の形状に戻ることができる材料で作成してもよい。例えば、合成材料やスチール、アルミニウム等の金属で作成することができる。
【００２２】
本発明及び本明細書に記載したその幾つかの使用形態は単なる例示であり、使用形態は記載したものに限定されないことは明らかである。従って本発明は、特に製造に用いる材料、歯部の長さや穴の深さ等様々な構成要素の寸法、及び用途等に関して、全ての変更例を含む。
【図面の簡単な説明】
【図１】
図１は、本発明の器具の第一実施態様を概略的に示す。
【図２】
図２は、本発明の器具の第二実施態様を概略的に示す。
【図３】
図３は、図１の器具の第一使用方法を示す。
【図４】
図４は、本発明の器具の一方の構成要素の変更例を概略的に示す。
【図５】
図５は、本発明の器具の使用方法を概略的に示す。
【図６】
図６は、本発明の器具の使用方法を概略的に示す。
【国際公開パンフレット】
2004512475.tif 000003
2004512475.tif 000004
2004512475.tif 000005
2004512475.tif 000006
2004512475.tif 000007
2004512475.tif 000008
2004512475.tif 000009
2004512475.tif 000010
2004512475.tif 000011
2004512475.tif 000012
2004512475.tif 000013
2004512475.tif 000014
2004512475.tif 000015
【手続補正書】
【提出日】平成14年10月18日(2002.10.18)
【手続補正１】
【補正対象書類名】明細書
【補正対象項目名】特許請求の範囲
【補正方法】変更
【補正の内容】
【特許請求の範囲】
【請求項１】
二つの構成要素（Ａ，Ｂ）からなる固定及び／又は組立具であって、該二つの構成要素（Ａ，Ｂ）の一方は細長い歯部つまり軸部（２、２’、５２、６２）を備え、他方は該二つの構成要素を組立てる時に該歯部を挿入するための穴（５、５’、５６、６６）を備え、該二つの構成要素は組立てた後に分離することができ、
該歯部（２）が長手方向にまっすぐであり、該穴（５）が該歯部の断面形状と同じ断面形状を有し、且つ深さ方向に湾曲しているか、若しくは該歯部（２’）が長手方向に湾曲しており、該穴（５’）が該歯部の断面形状と同じ断面形状を有し、且つ深さ方向にまっすぐであり、それにより該二つの構成要素を組立てる際、該歯部が弾性的に湾曲変形して、強制的に該穴へ組込まれることによってしっかりと保持されることを特徴とする、固定及び／又は組立具。
【請求項２】
前記歯部の断面が円形であることを特徴とする、請求項１に記載の固定及び／又は組立具。
【請求項３】
前記歯部の断面が多角形であることを特徴とする、請求項１に記載の固定及び／又は組立具。
【請求項４】
前記構成要素の一方が、細長いプレート又は帯板に設けた数列の歯部を備え、前記構成要素の他方が、プレートに設けた数列の穴を備えることを特徴とする、請求項１から３のいずれか１項に記載の固定及び／又は組立具。
【請求項５】
前記歯部が前記穴の深さよりも長いことを特徴とする、先行する請求項のいずれか１項に記載の固定及び／又は組立具。
【請求項６】
前記歯部が前記穴の深さよりも短いことを特徴とする、先行する請求項のいずれか１項に記載の固定及び／又は組立具。
【請求項７】
前記歯部を備える構成要素が、歯部を設けた少なくとも二つの面を有し、穴を有する少なくとも二つの構成要素と組合せることができることを特徴とする、先行する請求項のいずれか１項に記載の固定及び／又は組立具。
【請求項８】
先行する請求項のいずれか１項に記載の組立具を備えるブレスレットであって、該ブレスレットはオープンタイプであり、一端に歯部を有する構成要素を備え、他端に穴を有する構成要素を備えることを特徴とする、ブレスレット。
【請求項９】
先行する請求項１のいずれか１項に記載の組立具を備える靴であって、該靴は頂部上方に開口を有し、該開口の縁部の一方に歯部を有する細い舌部状の構成要素を備え、該開口の反対側に該歯部を挿入するための穴を備えるプレート状の構成要素を備えることを特徴とする靴。
【国際調査報告】
2004512475.tif 000016
2004512475.tif 000017
2004512475.tif 000018
2004512475.tif 000019
2004512475.tif 000020
2004512475.tif 000021